(57)【特許請求の範囲】
【請求項１】
ハウジングを含み、前記ハウジングの中には水を提供できる揚水空間が設置され、前記ハウジングの中には第一伝動空間と、第二伝動空間と、洗浄空間と不純物除去空間が設置され、
前記揚水空間の中には水を提供できる揚水機構が設置され、前記ハウジングの中には装置の作動を駆動できる伝動機構が設置され、前記洗浄空間の中には左右に移動しエアコンフィルターを洗浄できる洗浄機構が設置され、前記第二伝動空間の中には前後に移動できる移動機構が設置され、前記洗浄空間には洗浄廃水内の不純物を除去できる不純物除去機構が設置され、
前記不純物除去機構は前記洗浄空間の中に位置した刮げ板を含み、前記刮げ板の中には固定ロッドが一本設置され、前記固定ロッドの両端がねじ山スリーブの下端を貫通しており、前記ねじ山スリーブの中には上方に開口したねじ山スリーブ空間が設置され、前記ねじ山スリーブ空間の中には上端が前記不純物除去空間の上端壁を貫通したねじロッドがねじ山により連結され、前記ねじロッドが前記洗浄空間の上端壁と回転できるように連結され、前記ねじロッドにはスライド歯車がキー接続され、前記ねじロッドには前記スライド歯車の下側に位置した環状止めブロックも固定され、前記洗浄空間の左端壁の中には右方に開口した移動空間が設置され、前記移動空間の中には移動ブロックが設置され、前記移動空間の右端壁には前記移動ブロックの左端面と連結された支持ばねが固定され、前記移動ブロックの左端面には引き紐が固定され、前記引き紐の左端と前記ねじ山スリーブの上端とが連結され、前記不純物除去空間の中には浮き板も設置され、前記浮き板の上端面には前記不純物除去空間の上端壁を貫通した押しロッドが設置され、前記不純物除去空間の後端壁には止めブロックと不純物出口とが設置され、前記不純物出口の中には前端が前記不純物除去空間の中に位置した不純物排出板も固定され、前記洗浄機構と前記移動機構との移動を制御することで、エアコンフィルターを全面的に洗浄でき、前記不純物除去機構により廃水内の不純物を除去でき、水循環を実現することを特徴とする高効率エアコンフィルター洗浄装置。
【請求項２】
前記伝動機構はモーターを含み、前記モーターの右端には右端が前記第一伝動空間の右端壁に貫通するように連結された伝動軸が伝動できるように連結され、前記伝動軸の右端が前記第二伝動空間まで延びており、前記伝動軸の左端には第一傘歯車が固定され、前記伝動軸の右端には第一スリーブも固定され、前記第一伝動空間の中には下端が前記洗浄空間の中に位置した回転軸が設置され、前記回転軸の上端には前記第一傘歯車と噛み合った第二傘歯車が固定されていることを特徴とする請求項１に記載の高効率エアコンフィルター洗浄装置。
【請求項３】
前記洗浄機構は固定歯車を含み、前記固定歯車が前記回転軸の下端に固定され、前記固定歯車の下端面には円柱が固定され、前記固定歯車の下側には連結ブロックが設置され、前記連結ブロックの左端の中には前記連結ブロックの上下端面を貫通した矩形貫通溝が形成され、前記円柱の下端が前記矩形貫通溝を貫通しており、前記円柱の下端には環状止め板が固定され、前記連結ブロックの右端には右端が洗い空間の中に位置したブラシが固定的に連結され、前記洗浄空間の左端壁の中には投入穴が設置され、前記投入穴の中には第一電磁スイッチが設置され、前記洗浄空間と前記不純物除去空間の上壁の中には複数の抜き穴が設置されていることを特徴とする請求項２に記載の高効率エアコンフィルター洗浄装置。
【請求項４】
前記移動機構は前記第一スリーブを貫通した旋転軸を含み、前記旋転軸の下端には固定板が固定され、前記第一スリーブと前記固定板との間には圧縮ばねが設置され、前記固定板の右端には第三スリーブが回転できるように連結され、前記第二伝動空間の前後端壁の間には固定軸が固定され、前記固定軸には第二スリーブがスライドできるように連結され、前記第二スリーブの下端面には前記第二伝動空間の下端壁を貫通し、且つ前記洗浄空間の中に位置した移動軸が固定され、前記移動軸には前記第三スリーブがスライドできるように連結され、前記固定板の右端と前記第三スリーブとが回転できるように連結され、前記移動軸の下端にはフィルター挟みが固定され、前記フィルター挟みの中には左右端壁が前記フィルター挟みを貫通した洗い空間が設置され、前記洗い空間の中には挟み板が設置され、前記挟み板の下端には四つの圧着ばねが固定され、前記圧着ばねの下端と前記洗い空間の下端壁とが連結されていることを特徴とする請求項３に記載の高効率エアコンフィルター洗浄装置。
【請求項５】
前記揚水機構は水ポンプを含み、前記水ポンプには水管が連結され、前記水管が前記洗浄空間の中に延びており、前記水管の右端には下方に開口した六つの加圧ノズルが固定され、前記揚水空間の上端壁には外部空間に連通した給水管が設置され、前記給水管の中には第二電磁スイッチが設置され、前記不純物除去空間が前記揚水空間に連通しており、且つ濾過板を通じて隔てられていることを特徴とする請求項１に記載の高効率エアコンフィルター洗浄装置。
【請求項６】
前記引き紐の引っ張り力は前記支持ばねの弾力より大きいことを特徴とする請求項１に記載の高効率エアコンフィルター洗浄装置。
【請求項７】
前記浮き板が受ける浮力は、前記スライド歯車が前記ねじロッドでスライドするときの摩擦力とその自身の重力との和より大きいことを特徴とする請求項１に記載の高効率エアコンフィルター洗浄装置。
【請求項８】
前記刮げ板が上昇し不純物を排出する前に、前記ねじ山スリーブの上端面が前記不純物除去空間の上端壁と接触しないことを特徴とする請求項１に記載の高効率エアコンフィルター洗浄装置。
【発明の詳細な説明】
【技術分野】
【０００１】
本発明はエアコン洗浄分野を取り上げて、具体的には高効率エアコンフィルター洗浄装置である。
【背景技術】
【０００２】
家庭用エアコンを一定期間使用すると、エアコンフィルターに厚い埃が堆積し、エアコンを再び使用するとき、空気の質に影響を与えて快適感をなくす。そのため、エアコンフィルターを定期的に洗浄する必要がある。
現在、エアコンフィルターを洗浄するとき、手動で洗浄することが多いが、洗浄作業量が多くなると、作業効率が低下するため、エアコンフィルターは徹底的に洗浄されることができなく、高効率の洗浄効果も果たせない。
【先行技術文献】
【特許文献】
【０００３】
【特許文献１】中国特許出願公開第１０９２２４６３９号明細書
【発明の概要】
【発明が解決しようとする課題】
【０００４】
本発明が解決しようとする技術問題は、高効率エアコンフィルター洗浄装置を提供し、不完全な洗浄及び低洗浄効率などの問題を克服し、洗浄力と洗浄効率を高めることである。
【課題を解決するための手段】
【０００５】
本願発明は以下の技術プランを通じて実現する：
【０００６】
高効率エアコンフィルター洗浄装置は、ハウジングを含み、前記ハウジングの中には水を提供できる揚水空間が設置され、前記ハウジングの中には第一伝動空間と、第二伝動空間と、洗浄空間と不純物除去空間が設置され、
前記揚水空間の中には水を提供できる揚水機構が設置され、前記ハウジングの中には装置の作動を駆動できる伝動機構が設置され、前記洗浄空間の中には左右に移動しエアコンフィルターを洗浄できる洗浄機構が設置され、前記第二伝動空間の中には前後に移動できる移動機構が設置され、前記洗浄空間には洗浄廃水内の不純物を除去できる不純物除去機構が設置され、
前記不純物除去機構は前記洗浄空間の中に位置した刮げ板を含み、前記刮げ板の中には固定ロッドが一本設置され、前記固定ロッドの両端がねじ山スリーブの下端を貫通しており、前記ねじ山スリーブの中には上方に開口したねじ山スリーブ空間が設置され、前記ねじ山スリーブ空間の中には上端が前記不純物除去空間の上端壁を貫通したねじロッドがねじ山により連結され、前記ねじロッドが前記洗浄空間の上端壁と回転できるように連結され、前記ねじロッドにはスライド歯車がキー接続され、前記ねじロッドには前記スライド歯車の下側に位置した環状止めブロックも固定され、前記洗浄空間の左端壁の中には右方に開口した移動空間が設置され、前記移動空間の中には移動ブロックが設置され、前記移動空間の右端壁には前記移動ブロックの左端面と連結された支持ばねが固定され、前記移動ブロックの左端面には引き紐が固定され、前記引き紐の左端と前記ねじ山スリーブの上端とが連結され、前記不純物除去空間の中には浮き板も設置され、前記浮き板の上端面には前記不純物除去空間の上端壁を貫通した押しロッドが設置され、前記不純物除去空間の後端壁には止めブロックと不純物出口とが設置され、前記不純物出口の中には前端が前記不純物除去空間の中に位置した不純物排出板も固定され、前記洗浄機構と前記移動機構との移動を制御することで、エアコンフィルターを全面的に洗浄でき、前記不純物除去機構により廃水内の不純物を除去でき、水循環を実現する。
【０００７】
更に、前記伝動機構はモーターを含み、前記モーターの右端には右端が前記第一伝動空間の右端壁に貫通するように連結された伝動軸が伝動できるように連結され、前記伝動軸の右端が前記第二伝動空間まで延びており、前記伝動軸の左端には第一傘歯車が固定され、前記伝動軸の右端には第一スリーブも固定され、前記第一伝動空間の中には下端が前記洗浄空間の中に位置した回転軸が設置され、前記回転軸の上端には前記第一傘歯車と噛み合った第二傘歯車が固定されている。
【０００８】
更に、前記洗浄機構は固定歯車を含み、前記固定歯車が前記回転軸の下端に固定され、前記固定歯車の下端面には円柱が固定され、前記固定歯車の下側には連結ブロックが設置され、前記連結ブロックの左端の中には前記連結ブロックの上下端面を貫通した矩形貫通溝が形成され、前記円柱の下端が前記矩形貫通溝を貫通しており、前記円柱の下端には環状止め板が固定され、前記連結ブロックの右端には右端が洗い空間の中に位置したブラシが固定的に連結され、前記洗浄空間の左端壁の中には投入穴が設置され、前記投入穴の中には第一電磁スイッチが設置され、前記洗浄空間と前記不純物除去空間の上壁の中には複数の抜き穴が設置されている。
【０００９】
更に、前記移動機構は前記第一スリーブを貫通した旋転軸を含み、前記旋転軸の下端には固定板が固定され、前記第一スリーブと前記固定板との間には圧縮ばねが設置され、前記固定板の右端には第三スリーブが回転できるように連結され、前記第二伝動空間の前後端壁の間には固定軸が固定され、前記固定軸には第二スリーブがスライドできるように連結され、前記第二スリーブの下端面には前記第二伝動空間の下端壁を貫通し、且つ前記洗浄空間の中に位置した移動軸が固定され、前記移動軸には前記第三スリーブがスライドできるように連結され、前記固定板の右端と前記第三スリーブとが回転できるように連結され、前記移動軸の下端にはフィルター挟みが固定され、前記フィルター挟みの中には左右端壁が前記フィルター挟みを貫通した洗い空間が設置され、前記洗い空間の中には挟み板が設置され、前記挟み板の下端には四つの圧着ばねが固定され、前記圧着ばねの下端と前記洗い空間の下端壁とが連結されている。
【００１０】
更に、前記揚水機構は水ポンプを含み、前記水ポンプには水管が連結され、前記水管が前記洗浄空間の中に延びており、前記水管の右端には下方に開口した六つの加圧ノズルが固定され、前記揚水空間の上端壁には外部空間に連通した給水管が設置され、前記給水管の中には第二電磁スイッチが設置され、前記不純物除去空間が前記揚水空間に連通しており、且つ濾過板を通じて隔てられている。
【００１１】
更に、前記引き紐の引っ張り力は前記支持ばねの弾力より大きい。
【００１２】
更に、前記浮き板が受ける浮力は、前記スライド歯車が前記ねじロッドでスライドするときの摩擦力とその自身の重力との和より大きい。
【００１３】
更に、前記刮げ板が上昇し不純物を排出する前に、前記ねじ山スリーブの上端面が前記不純物除去空間の上端壁と接触しない。
【発明の効果】
【００１４】
本願発明の有益的な効果は：本願発明の装置は構造が簡単であり、操作が便利であり、装置が作動中に、洗浄待ちのエアコンフィルターをフィルター挟みの中に入れて前後左右の全面的な洗浄を行って水で洗い流し、エアコンフィルターをきれいに洗浄した後に、洗浄後の汚水を再び濾過し不純物を除去し、そして循環に使用でき、それによりエアコンフィルターの高効率洗浄を完成すると同時に水循環を実現し、人力の洗浄方法と比べて、当該装置は洗浄効率を高めると同時に水を節約できる。
【図面の簡単な説明】
【００１５】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本願発明の実施例の構造概略図
【図２】図２は本願発明の実施例のＡ―Ａの構造概略図
【図３】図３は本願発明の実施例の連結ブロックのところの構造の全断面の上面拡大    概略図
【図４】図４は本願発明の実施例のフィルター挟み構造の全断面の正面概略図
【図５】図５は本願発明の実施例の不純物出口構造の全断面の左面概略図
【図６】図６は本願発明の実施例の不純物除去機構の局部拡大構造概略図
【図７】図７は本願発明の実施例の刮げ板構造の全断面の左面概略図
【発明を実施するための形態】
【００１７】
図１〜７に示すように、高効率エアコンフィルター洗浄装置は、ハウジング３を含み、前記ハウジング３の中には水を提供できる揚水空間１１が設置され、前記ハウジング３の中には第一伝動空間２３と、第二伝動空間２５と、洗浄空間３５と不純物除去空間４０が設置され、前記揚水空間１１の中には水を提供できる揚水機構６１が設置され、前記ハウジング３の中には装置の作動を駆動できる伝動機構６２が設置され、前記洗浄空間３５の中には左右に移動しエアコンフィルターを洗浄できる洗浄機構５７が設置され、前記第二伝動空間２５の中には前後に移動できる移動機構５８が設置され、前記洗浄空間３５には洗浄廃水内の不純物を除去できる不純物除去機構５９が設置され、前記不純物除去機構５９は前記洗浄空間３５の中に位置した刮げ板８を含み、前記刮げ板８の中には固定ロッド１が一本設置され、前記固定ロッド１の両端がねじ山スリーブ６の下端を貫通しており、前記ねじ山スリーブ６の中には上方に開口したねじ山スリーブ空間９が設置され、前記ねじ山スリーブ空間９の中には上端が前記不純物除去空間４０の上端壁を貫通したねじロッド１９がねじ山により連結され、前記ねじロッド１９が前記洗浄空間３５の上端壁と回転できるように連結され、前記ねじロッド１９にはスライド歯車１７がキー接続され、前記ねじロッド１９には前記スライド歯車１７の下側に位置した環状止めブロック６３も固定され、前記洗浄空間３５の左端壁の中には右方に開口した移動空間６６が設置され、前記移動空間６６の中には移動ブロック６４が設置され、前記移動空間６６の右端壁には前記移動ブロック６４の左端面と連結された支持ばね６０が固定され、前記移動ブロック６４の左端面には引き紐６５が固定され、前記引き紐６５の左端と前記ねじ山スリーブ６の上端とが連結され、前記不純物除去空間４０の中には浮き板５も設置され、前記浮き板５の上端面には前記不純物除去空間４０の上端壁を貫通した押しロッド４が設置され、前記不純物除去空間４０の後端壁には止めブロック２と不純物出口５４とが設置され、前記不純物出口５４の中には前端が前記不純物除去空間４０の中に位置した不純物排出板５５も固定され、前記洗浄機構５７と前記移動機構５８との移動を制御することで、エアコンフィルターを全面的に洗浄でき、前記不純物除去機構５９により廃水内の不純物を除去でき、水循環を実現する。
【００１８】
有益的には、前記伝動機構６２はモーター２０を含み、前記モーター２０の右端には右端が前記第一伝動空間２３の右端壁に貫通するように連結された伝動軸２１が伝動できるように連結され、前記伝動軸２１の右端が前記第二伝動空間２５まで延びており、前記伝動軸２１の左端には第一傘歯車２２が固定され、前記伝動軸２１の右端には第一スリーブ２６も固定され、前記第一伝動空間２３の中には下端が前記洗浄空間３５の中に位置した回転軸４１が設置され、前記回転軸４１の上端には前記第一傘歯車２２と噛み合った第二傘歯車２４が固定されている。
【００１９】
有益的には、前記洗浄機構５７は固定歯車７０を含み、前記固定歯車７０が前記回転軸４１の下端に固定され、前記固定歯車７０の下端面には円柱４５が固定され、前記固定歯車７０の下側には連結ブロック４３が設置され、前記連結ブロック４３の左端の中には前記連結ブロック４３の上下端面を貫通した矩形貫通溝４７が形成され、前記円柱４５の下端が前記矩形貫通溝４７を貫通しており、前記円柱４５の下端には環状止め板４６が固定され、前記連結ブロック４３の右端には右端が洗い空間５０の中に位置したブラシ４９が固定的に連結され、前記洗浄空間３５の左端壁の中には投入穴３６が設置され、前記投入穴３６の中には第一電磁スイッチ３８が設置され、前記洗浄空間３５と前記不純物除去空間４０の上壁の中には複数の抜き穴３７が設置されている。
【００２０】
有益的には、前記移動機構５８は前記第一スリーブ２６を貫通した旋転軸２７を含み、前記旋転軸２７の下端には固定板３１が固定され、前記第一スリーブ２６と前記固定板３１との間には圧縮ばね２８が設置され、前記固定板３１の右端には第三スリーブ３２が回転できるように連結され、前記第二伝動空間２５の前後端壁の間には固定軸２９が固定され、前記固定軸２９には第二スリーブ３０がスライドできるように連結され、前記第二スリーブ３０の下端面には前記第二伝動空間２５の下端壁を貫通し、且つ前記洗浄空間３５の中に位置した移動軸３３が固定され、前記移動軸３３には前記第三スリーブ３２がスライドできるように連結され、前記固定板３１の右端と前記第三スリーブ３２とが回転できるように連結され、前記移動軸３３の下端にはフィルター挟み４９が固定され、前記フィルター挟み４９の中には左右端壁が前記フィルター挟み４９を貫通した洗い空間５０が設置され、前記洗い空間５０の中には挟み板５３が設置され、前記挟み板５３の下端には四つの圧着ばね５２が固定され、前記圧着ばね５２の下端と前記洗い空間５０の下端壁とが連結されている。
【００２１】
有益的には、前記揚水機構６１は水ポンプ１０を含み、前記水ポンプ１０には水管１５が連結され、前記水管１５が前記洗浄空間３５の中に延びており、前記水管１５の右端には下方に開口した六つの加圧ノズル３４が固定され、前記揚水空間１１の上端壁には外部空間に連通した給水管１３が設置され、前記給水管１３の中には第二電磁スイッチ１４が設置され、前記不純物除去空間４０が前記揚水空間１１に連通しており、且つ濾過板１２を通じて隔てられている。
【００２２】
装置全体の機械作動の流れは：
【００２３】
１．第一電磁スイッチ３８をオンにし、洗浄待ちのエアコンフィルターをフィルター挟み４９の挟み板５３と洗浄ブラシ４８の下側に置き、水ポンプ１０を始動し、水ポンプ１０が揚水空間１１内の水を水管１５を通して加圧ノズル３４から噴出する。
【００２４】
２．モーター２０が始動され伝動軸２１を回転させ、伝動軸２１が回転し第一傘歯車２２と伝動軸２１の右端の第一スリーブ２６とを回転させる。
【００２５】
３．第一傘歯車２２が回転し第二傘歯車２４を回転させ、それにより回転軸４１を回転させ、それにより固定歯車７０を回転させ、円柱４５が矩形貫通溝４７の中で固定歯車７０の回転とともに水平面で円周運動をし、連結ブロック４３を左右に移動させ、それにより洗浄ブラシ４８を左右に往復に移動させ、洗浄ブラシ４８にエアコンフィルターを左右に洗浄させる。
【００２６】
４．第一スリーブ２６が回転し旋転軸２７を回転させ、それにより固定板３１を回転させ、圧縮ばね２８の作用により、旋転軸２７が第一スリーブ２６の中で上下にスライドし、固定板３１が回転し第三スリーブ３２を円周運動させ、それにより第二スリーブ３０と移動軸３３とを固定軸２９で前後に往復にスライドさせ、それによりフィルター挟み４９を前後に移動させ、洗浄ブラシ４８にエアコンフィルターを前後に洗浄させる。
【００２７】
５．洗浄後の水が不純物除去空間４０に流れ込み、濾過板１２が不純物を濾過し、濾過された水が揚水空間１１の中に入り、不純物が濾過板１２の右側に蓄積し、不純物が多すぎると、不純物除去空間４０の水位が上昇し、浮き板５が浮力の作用により水位とともに上昇し、浮き板５が一定な高さまで上昇するとき、押しロッド４がスライド歯車１７を押して従動歯車４２と噛み合わせるまで上昇させ、スライド歯車１７が回転しねじロッド１９を回転させ、それによりねじ山スリーブ６を上昇させ、引き紐６５が緩められ、それにより移動ブロック６４が支持ばね６０に押されて右に移動し、且つスライド歯車１７を支持し、スライド歯車１７が下にスライドして従動歯車４２との噛み合いから離脱することを防止し、刮げ板８がねじ山スリーブ６とともに上昇し濾過板１２に付着した不純物を刮げ、刮げ板８が上昇し続け止めブロック２と接触し、刮げ板８が時計回りに回転し刮げ板８にある不純物を不純物排出板５５の中に入れて排出し、この時ねじりばね７がねじられる。
【００２８】
６．不純物を除去した後、水位が下がり、浮き板５が下がり、モーター２０が逆回転し、固定歯車７０が逆回転し、それによりスライド歯車１７を逆回転させ、ねじロッド１９が逆回転し、ねじ山スリーブ６が下に運動し、刮げ板８がねじ山スリーブ６とともに下がり、ねじりばね７の作用により刮げ板８が反時計回りに回転して復帰し、ねじ山スリーブ６が最下側まで運動するとき、ねじ山スリーブ６にある引き紐６５が移動ブロック６４を引いて左に移動させて復帰させ、スライド歯車１７が下にスライドし固定歯車７０との噛み合いから離脱する。
【００２９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【要約】
【課題】本発明は高効率エアコンフィルター洗浄装置を開示した。
【解決手段】
ハウジングを含み、前記ハウジングの中には水を提供できる揚水空間が設置され、前記ハウジングの中には第一伝動空間と、第二伝動空間と、洗浄空間と不純物除去空間が設置され、前記揚水空間の中には水を提供できる揚水機構が設置され、前記ハウジングの中には装置の作動を駆動できる伝動機構が設置され、前記洗浄空間の中には左右に移動しエアコンフィルターを洗浄できる洗浄機構が設置され、前記第二伝動空間の中には前後に移動できる移動機構が設置され、前記洗浄空間には洗浄廃水内の不純物を除去できる不純物除去機構が設置されている。
【選択図】図１【図１】
0006764093.tif 000002
【図２】
0006764093.tif 000003
【図３】
0006764093.tif 000004
【図４】
0006764093.tif 000005
【図５】
0006764093.tif 000006
【図６】
0006764093.tif 000007
【図７】
0006764093.tif 000008